(57)【要約】【課題】長尺部材を低い挿入力で収容して保持でき、保持した長尺部材の抜け止め力を高く維持する、簡単な構成の長尺部材のクランプを提供する。【解決手段】長尺部材のクランプ１０の弾性保持片２７は、収容部２２の側壁２５の上端への連結部分３３から中間部分３５までの部分が側壁２５に対して小さな角度αで底部へ向けて斜めに延びて作用点（３３）から力点（３５）まで（長さｂ）が長く形成され、中間部分３５から先端３４までの部分が側壁２５から離れる方向に曲げて形成され、長尺部材抜出し口の幅を狭めている。【選択図】図６
2008051211.tif 000002
【特許請求の範囲】
【請求項１】
パイプ等の長尺部材を収容して保持する空間を形成した収容部と、該収容部の入口部分から底部へ向けて斜めに延びた弾性保持片とを備え、該弾性保持片は、前記長尺部材を該収容部に挿入するように押込むとき該収容部の側壁に近接するように撓んで該長尺部材を通過させる可撓性を有し、該収容部に収容された該長尺部材の周面に係合して該収容部からの抜け止めをなす、パイプ等の長尺部材のクランプであって、
前記弾性保持片は、前記収容部へ前記入口部分において連結されて該連結部分を支点として全体が前記収容部側壁に近接するように撓み、該弾性保持片は、前記連結部分と先端との間の中間部分において前記収容部側壁から離れる方向に曲げて形成され該曲げ部分から先端までの部分が前記収容部の長尺部材が通る部分の幅を狭めており、前記連結部分が前記長尺部材の押込みのときの作用点となり前記曲げ部分が前記押込みの力点となっており、前記連結部分から前記曲げ部分までの弾性保持片部分が前記収容部側壁に対して小さな角度で前記底部へ向けて斜めに延びて前記作用点から前記力点までの長さを長くしており、前記先端は、前記収容部に収容された長尺部材の周面に係合して該収容部からの抜け止めをなす、ことを特徴とするクランプ。
【請求項２】
請求項１に記載のクランプにおいて、前記収容部を形成する両側の側壁のそれぞれから収容部底部へ向けて斜めに延びるように形成された、一対の弾性保持片を有する、ことを特徴とするクランプ。
【請求項３】
請求項２に記載のクランプにおいて、長尺部材が円筒部材であり、該円筒部材が前記一対の弾性保持片が接触する前記曲げ部分の２点と前記円筒部材の中心を結んだ線の角度が１００度を超えるように、前記曲げ部分の位置が選定されている、ことを特徴とするクランプ。
【請求項４】
請求項１〜３のいずれか１項に記載のクランプにおいて、前記弾性保持片は、前記収容部に保持される長尺部材の長手方向に延びる幅と前記連結部分から前記先端までの長さとを有する板状体で形成され、少なくとも前記曲げ部分から先端までの部分が次第に厚くなる形状に形成されている、ことを特徴とするクランプ。
【請求項５】
請求項１〜４のいずれか１項に記載のクランプにおいて、前記小さな角度は、１０〜２０度である、ことを特徴とするクランプ。
【請求項６】
請求項１〜５のいずれか１項に記載のクランプにおいて、前記連結部分から前記曲げ部分までの弾性保持片部分は、該弾性保持片の全体長さの半分よりやや長く延びている、ことを特徴とするクランプ。
【発明の詳細な説明】
【技術分野】
【０００１】
本発明は、パイプ等の長尺部材を収容し保持する空間を形成した収容部と、収容部の入口部から底部へ向けて斜めに延びた弾性保持片とを備えた、パイプ等の長尺部材のクランプに関する。
【背景技術】
【０００２】
パイプ等の長尺部材を収容し保持する空間を形成した収容部と、収容部の入口部から底部へ向けて斜めに延びた弾性保持片とを備え、弾性保持片は、長尺部材を収容部に押込むとき収容部の側壁に近接するように撓む可撓性を有し、収容部に収容された長尺部材の周面に係合して収容部からの抜け止めをなす、パイプ等の長尺部材のクランプは、よく知られている。
【０００３】
図１には、パイプ等の長尺部材の代表的なクランプの収容部が示されている。パイプ等の長尺部材を収容し保持する空間を形成した収容部１には、収容部の入口部から底部へ向けて斜めに延びた一対の弾性保持片２が設けられ、各弾性保持片２は、長尺部材３を収容部１に挿入するように押込むとき収容部１の側壁５に近接する可撓性を有する。長尺部材３が一旦収容部１に収容されると、各弾性保持片２が元の姿勢に復帰してその先端６が長尺部材３の周面に係合して収容部からの抜け止めをなす。各弾性保持片２は、収容部１の入口部分において連結されてこの連結部分を支点として全体が側壁５に近接するように撓む。図１のように、長尺部材３を収容部１を押込むと、長尺部材３が弾性保持片２を押圧する力を与えて撓めるように作用する。図１に示す代表的なクランプでは、弾性保持片２への力点７と撓めるときの支点である作用点８との間の距離ａは、図示のように、極めて短い。そのため、長尺部材の挿入力は大きくなり、パイプ等を挿入する作業者への負担が大きい。挿入力を低くするため弾性保持片の強度を低くすると、保持した長尺部材の抜け止め力が低下する。パイプ等の長尺部材のクランプにおいて、収容部への長尺部材の挿入力は低く且つ収容後の抜け止め力は高いことが望まれている。
【０００４】
特許文献１〜５には、種々の長尺部材のクランプが記載されている。特許文献１〜４に記載の長尺部材のクランプは、収容部と、収容部の入口部から底部へ向けて斜めに延びた弾性保持片とを備え、弾性保持片は、長尺部材を収容部に押込むと収容部の側壁に近接するように撓む可撓性を有し、収容部に収容された長尺部材の周面に係合して収容部からの抜け止めをなすものである。特許文献１のクランプは、異なる直径のパイプを収容し保持するように、収容部に、一対の弾性保持片と収容部の底部側に底面と平行な一対の弾性片とを設けるとともに、弾性保持片対と弾性片対との組合せに並列に一対の挟圧片を設けた構成となっている。特許文献２のクランプは、パイプ等の挿入力を低くするとともに弾性保持片の長さを十分に確保するように、弾性保持片が収容部の入口部分で連結される連結部分において所定長さの空所が形成された構成となっている。特許文献３のクランプは、収容部には、一対の第１弾性保持片と、第１弾性保持片のそれぞれの中間部分から先端より更に底面側に延び出る第２弾性保持片とが形成され、収容部の底面側には弾性の保持片が形成されて、挿入力を低くでき、保持したパイプ等の抜け止めを確実にしている。特許文献４のクランプは、異なる直径のパイプを収容し保持するように、収容部に、２対の第１弾性保持片と、第１弾性保持片の間に第１弾性保持片より底部側に延びる一対の第２弾性保持片とを設けるとともに、収容部の底部側に更に一対の弾性片とを設けた構成となっている。
【０００５】
特許文献５のパイプ等のクランプは、収容部の入口部分から延びる弾性保持片を持たない構成のものであり、２つの収容部を形成する３つの端壁部分のうち外側の端壁部分が可撓性を有し、各収容部の底部側には弾性を有する筒状部が形成されて挿入されたパイプ等を弾性保持する構成になっていて、パイプの外径にばらつきがあっても、そのばらつきに対応して保持できるようになっている。
【０００６】
【特許文献１】特開２００１−０９９５３７号公報
【特許文献２】特開２００４−０４４６９８号公報
【特許文献３】特開２００５−１３３７８３号公報
【特許文献４】特開２００５−２４０８３７号公報
【特許文献５】実開昭６４−０２７５１２号公報及び全文明細書
【発明の開示】
【発明が解決しようとする課題】
【０００７】
特許文献１〜４に記載のパイプ等のクランプは、弾性保持片がパイプ等の長尺部材を収容し保持するとともに、保持した長尺部材の抜け止めを成しているが、それぞれ、クランプの形状が複雑である点で改良の余地がある。特許文献１〜４に記載のパイプ等のクランプのうち、最もシンプルな構成の特許文献２に記載のクランプにおいても、弾性保持片の収容部入口部分に必要とされる長さの空所を形成せねばならない。また、この空所の形成のために、弾性保持片の強度が低くなるおそれがあり、保持したパイプ等の抜け止め力を低下させるおそれがある。また、特許文献５のクランプは、弾性保持片を持っていないので、高い抜け止め力は期待できない。
【０００８】
従って、本発明の目的は、簡単な構成でありながら、パイプ等の長尺部材を低い挿入力で収容して保持できるとともに、保持した長尺部材の抜け止め力を高く維持する、長尺部材のクランプを提供することにある。
【課題を解決するための手段】
【０００９】
かかる目的を達成するため、本発明は、パイプ等の長尺部材を収容して保持する空間を形成した収容部と収容部の入口部分から底部へ向けて斜めに延びた弾性保持片とを備え、弾性保持片は、長尺部材を収容部に挿入するように押込むとき収容部の側壁に近接するように撓んで長尺部材を通過させる可撓性を有し、収容部に収容された長尺部材の周面に係合して収容部からの抜け止めをなす、パイプ等の長尺部材のクランプであって、弾性保持片は、収容部へ入口部分において連結されてこの連結部分を支点として全体が収容部側壁に近接するように撓み、弾性保持片は、連結部分と先端との間の中間部分において収容部側壁から離れる方向に曲げて形成され曲げ部分から先端までの部分が収容部の長尺部材が通る部分の幅を狭めており、連結部分が長尺部材の押込みのときの作用点となり曲げ部分が押込みの力点となっており、連結部分から曲げ部分までの弾性保持片部分が収容部側壁に対して小さな角度で底部へ向けて斜めに延びて作用点から力点までの長さを長くしており、先端は、収容部に収容された長尺部材の周面に係合して、収容部からの抜け止めをなす、ことを特徴とするクランプを提供する。
【００１０】
上記のように、長尺部材の押込みのときの作用点である連結部分と押込みの力点である曲げ部分との間の弾性保持片部分が収容部の側壁に対して小さな角度で且つ作用点から力点までの長さを長く形成するという、簡単な構成で、挿入のための間口を広げて挿入を容易にし、パイプ等の長尺部材を低い挿入力で押込んで収容保持できるとともに、弾性保持片の途中で曲げて弾性保持片の長さが長く形成されて長尺部材が通る部分の幅を狭めているので、収容後の長尺部材の抜け止め効果が高く、収容後の長尺部材の周面に弾性保持片の先端が確実に係合して収容部からの抜け止めを果たし、更に、弾性保持片に長尺部材の抜け出し力が作用しても収容部側壁に対して小さな角度で延びる弾性保持片部分が踏ん張り、保持した長尺部材の抜け止め力を高く維持する。
【００１１】
上記クランプにおいて、収容部を形成する両側の側壁のそれぞれから収容部底部へ向けて斜めに延びるように形成された、一対の弾性保持片を有する構成にするのが好ましい。その場合、円筒の長尺部材が一対の弾性保持片が接触する曲げ部分の２点と円筒の長尺部材の中心を結んだ線の角度が１００度を超えるように、曲げ部分の位置が選定されているのが好ましい。また、弾性保持片は、収容部に保持される長尺部材の長手方向に延びる幅と連結部分から先端までの長さとを有する板状体で形成され、少なくとも曲げ部分から先端までの部分が次第に厚くなる形状に形成されているのが好ましい。前記小さな角度は、１０〜２０度であるのが好ましい。連結部分から曲げ部分までの弾性保持片部分は、該弾性保持片の全体長さの半分よりやや長く延びているのが好ましい。
【発明を実施するための最良の形態】
【００１２】
以下、本発明の１実施形態に係る、燃料パイプやブレーキ油パイプ等のパイプあるいはワイヤハーネス等の長尺部材のクランプ１０について、図２〜図６を参照しながら説明する。図２〜図５には、クランプ１０の全体構成が示されている。図６には、図３の記号Ａで示す四角部分のパイプ保持部１８を代表して、本発明の１実施形態に係る収容部２２の詳細な構成が示されている、図６には、また、パイプ等の長尺部材３を収容部２２に押込むときの力点と作用点の関係が示されている。
【００１３】
図２〜図５において、クランプ１０は、基部１１と、基部１１に一体成形された、６個のパイプ保持部１３〜１８と、基部１１に一体成形された、車体等の被取付部材に固定するための固定手段としての錨脚クリップ２０とを有する。これら基部１１とパイプ保持部１３〜１８と錨脚クリップ２０とは、硬質樹脂材料によって形成されている。なお、被取付部材への固定手段としては、錨脚クリップ以外のものでもよく、被取付部材へスタッドボルトが立設されている場合には、それを受けるスタッド係止部であってもよく、更に、クリップ等の固定手段の無いものであってもよい。パイプ保持部１３〜１８は、燃料パイプやブレーキ油パイプ、ワイヤハーネス等の種々の長尺部材を保持するように種々の大きさと形状に形成でき、パイプ保持部の数、大きさ、形状等は保持するパイプ等に合わせて任意に選定すればよい。なお、図示のパイプ保持１３〜１８のうち、パイプ保持部１３、１４、１７、１８は、本発明の実施形態に係るパイプ保持部であるが、他のパイプ保持部１５、１６は、従来のパイプ保持部である。また、パイプ保持部１３及び１８の外壁３０には外壁強度を強化するためのリブ３１が幅方向（図２及び図４の紙面の上下方向）の中間位置において基部１１から上方に延びるように形成されている。
【００１４】
パイプ保持部１３、１４、１７、１８のそれぞれは、パイプ等の長尺部材を受ける収容部２２を形成するように、湾曲した底部２３と、底部２３の両側から直立して上方に延びる側壁２５とを有し、側壁２５の上端２６からは、収容部２２に収容して保持されるパイプ等の長尺部材の側面を押える弾性保持片２７が、底部２３に向けて斜めに延びている。パイプ保持部１３、１４、１７、１８のそれぞれにおいて、一対の弾性保持片２７が、収容部２２の両側の側壁２５の上端２６から底部２３に向けて延びている。かかる弾性保持片２７の詳細については後述する。なお、パイプ保持部１３、１４、１７、１８のそれぞれには、一対の弾性保持片２７が設けれられているが、保持力が十分であれば、１つでもよい。パイプ保持部１５、１６には、弾性保持片２９が形成されている。かかる弾性保持片２９は従来の形状であり、図１の弾性保持片２と同様の機能を有する。
【００１５】
各弾性保持片２７は、パイプ等の長尺部材を収容部２２に挿入するように押込むとき、収容部２２の側壁２５に近接するように撓んで長尺部材を通過させる可撓性を有し、通過後には通過前の姿勢に復帰する弾性を有し、収容部２２に収容された長尺部材の周面に弾性保持片２７の先端が係合して収容部２２から長尺部材の抜け止めをなす。
【００１６】
図６を参照して、本発明の１実施形態に係るクランプ１０のパイプ保持部の詳細について説明する。図６は、図３の記号Ａで示す四角形で囲まれたパイプ保持部１８を示している。なお、他のパイプ保持部１３、１４、１７の構成については、パイプ保持部１８の構成と同様であるので、以下のパイプ保持部１８の説明を参照されたい。
【００１７】
図６において、一対の弾性保持片２７のそれぞれは、収容部２２への入口部分となる側壁２５の上端２６の連結部分３３において連結される。連結部分３３は、また、弾性保持片２７の全体が収容部２２の側壁２５に近接するように撓むときの支点となる。弾性保持片２７は、連結部分３３と先端３４との間の中間部分３５までの部分は、収容部２２の側壁２５に対して小さな角度αで底部２３へ向けて斜めに延びている。弾性保持片２７は、中間部分３５において先端３４の側の部分が収容部側壁２５から離れる方向に曲げて形成されて、曲げ部分である中間部分３５から先端３４までの部分が、長尺部材の通り口の幅を狭めている。長尺部材３を収容部２２に挿入するように押込むとき、連結部分３３が長尺部材３の押込みのときの撓みの支点すなわち撓みの作用点となる。また、曲げ部分である中間部分３５が押込みの力点となる。連結部分３３から曲げ部分（中間部分３５）までの弾性保持片部分が収容部側壁２５に対して小さな角度αで底部２３へ向けて斜めに延びているので、作用点（連結部分３５）から力点（曲げ部分３５）までの長さｂは、図１の長さａより長く形成されている。各弾性保持片２７は、収容部２２に保持される長尺部材３の長手方向に延びる幅（図２の紙面の上下の長さ）と連結部分３３から先端３４までの長さとを有する板状体で形成されている。更に、各弾性保持片２７は、少なくとも曲げ部分３５から先端３４までの部分が、図６に図示のように、先端３４に向かって次第に厚くなる形状に形成されている。かかる形状は、長尺部材の挿入時の押込み抵抗をできるだけ小さくするとともに、収容後の長尺部材の抜け止め力をできるだけ大きくすることができるのでの好ましい。また、曲げ部分３５から先端３４までの部分が、図６に示すように、湾曲（Ｒ形状）して形成されるのが、挿入時及び抜去時の力による割れや折れを阻止するので好ましい。
【００１８】
収容部２２には、収容した長尺部材をがたつきなく保持することができるように、底部２２に長尺部材の長手方向に延びる弾性片３７が一対形成されている。更に詳細には、弾性片３７は、収容部２２の幅方向（図２の紙面に上下の方向）における中央の位置から両側の外縁に向けて底部２３から弾性的に離れるように形成される。かかる弾性片３７は、特許文献５（実開昭６４−０２７５１２号）の弾性筒状部に似た構成にされている。弾性片３７によって、支持した長尺部材のがたつきを防止するだけでなく、長尺部材の外径のばらつきにも対応できる。また、弾性片３７の両側には、側壁２５に平行に、一対の弾性壁部３８が形成されるのが好ましい。弾性壁部３８と側壁２５との間には空洞３９が形成されて弾性壁部３８に弾性を与えている。この弾性壁部３８も、支持した長尺部材ががたつくのを防止し、また、長尺部材の外径のばらつきにも対応できる。
【００１９】
上記構成のパイプ保持部１８の収容部２２に長尺部材３を挿入して保持する操作を、図６を参照して説明する。長尺部材３を弾性保持片２７の上に載せて押込む。連結部分３３から曲げ部分（中間部分３５）までの弾性保持片部分は、角度αが小さいため、長尺部材３を挿入するときの間口が従来のもの（図１参照）より広く挿入の誘い込みを容易にしており、また、長尺部材３が弾性保持片２７の上をスライドし易い。更に、作用点（連結部分３５）から力点（曲げ部分３５）までの長さｂが長く形成されて、低い押込み力で弾性保持片２７を側壁２５の側に撓めることができ、低い挿入力で長尺部材３を収容部２２に押込むことができる。
【００２０】
長尺部材３が弾性保持片２７を乗り越えて、図６の鎖線で示すように収容部２２に収容されると、撓められていた弾性保持片２７はその弾性によって元の姿勢に復帰する。この復帰によって各弾性保持片２７の先端３４が長尺部材３の周面に係合して収容部２２からの抜け止めを果たす。弾性保持片２７が元の姿勢に復帰するので、中間部分３５から先端３４の側の部分が、収容部２２にある長尺部材の抜け出し口の幅を狭めている。従って、収容された長尺部材の抜け止め効果は高く維持される。しかも、弾性保持片２７に長尺部材３の抜け出し力が作用しても収容部側壁２５に対して小さな角度αで延びる弾性保持片部分が踏ん張り、保持した長尺部材の抜け止め力を高く維持する。
【００２１】
本発明に係るクランプについて種々の試作を行って、試作品について試験を行った。連結部分３３から曲げ部分（中間部分３５）までの弾性保持片部分が収容部側壁２５に対する小さな角度αは、約１０度〜２０度の範囲である場合に好ましい結果を得た。また、その小さな角度αで延びる弾性保持片部分の長さは、弾性保持片２７の全体長さの半分よりやや長く形成した場合に好ましい結果を得た。また、パイプのような円筒の長尺部材３が一対の弾性保持片が接触する曲げ部分（３５）の２点と円筒の長尺部材３の中心Ｏを結んだ線の角度βが１００度を超えるように、曲げ部分３５の位置が選定される場合に好ましい結果を得た。
【００２２】
試験において、同じパイプを保持する、従来のクランプの収容部１（図１参照）と、本発明に係るクランプの収容部２２（図６参照）との挿入力を比較した。従来の収容部１においては、弾性保持片８の長さａは１．１ｍｍにされ、全体の長さｌは３．１ｍｍになった。本発明に係る収容部２２においては、弾性保持片２７の長さｂは１．９ｍｍにされ、全体長さＬは５．６ｍｍになった。本発明に係る弾性保持片２７は、従来の弾性保持片８より２倍に近い長さに形成でき、従来より大きな抜去力にも十分に対抗できる。挿入力の軽減においても、ａ：ｂ＝（１．１）：（１．９）＝１：１．７２の式から、約１．７倍の挿入力の軽減が得られることが算出される。
【００２３】
従来の挿入力は、平均で６７．８Ｎ（ニュートン）であることが試験によって確かめられた。上記のように、本発明によれば、従来の挿入力より、１．７２倍の挿入力が軽減されるので、挿入力＝６７．８（Ｎ）÷１．７２＝３９．４（Ｎ）となると推測できる。そこで、同じパイプ（直径６．９６φ）を用いて、本発明に係る収容部２２へ挿入試験を行った結果、下表のように、平均挿入力：４１．６Ｎ及び３９．１Ｎを得た。
【００２４】
2008051211.tif 000003
上記結果から、本発明に係る収容部２２へのパイプの、実測挿入力は、理論値（３９．４Ｎ）とほぼ同じ挿入力に軽減された。
【００２５】
上記のように、長尺部材の押込みのときの作用点である連結部分と押込みの力点である曲げ部分との間の弾性保持片部分が収容部の側壁に対して小さな角度で且つ作用点から力点までの長さを長く形成するという、簡単な構成で、挿入のための間口を広げて挿入を容易にし、パイプ等の長尺部材を低い挿入力で押込んで収容保持でき、収容後の長尺部材の抜け止めを果たし、保持した長尺部材の抜け止め力を高く維持する。
【図面の簡単な説明】
【００２６】
【図１】従来のクランプの収容部付近の正面図である。
【図２】本発明の１実施形態に係る長尺部材のクランプの平面図である。
【図３】図２のクランプの正面図である。
【図４】図２のクランプの底面図である。
【図５】図２のクランプの右側面図である。
【図６】図３のクランプの記号Ａで示す四角で囲んだ部分の拡大図である。
【符号の説明】
【００２７】
１  従来のクランプの収容部
２  弾性保持片
３  長尺部材
５  側壁
６  先端
７  力点
８  作用点
１０  本発明に係る、長尺部材のクランプ
１１  基部
１３、１４、１７、１８  本発明に係る、パイプ保持部
１５、１６  普通のパイプ保持部
２０  錨脚クリップ
２２  収容部
２３  底部
２５  側壁
２６  上端
２７  弾性保持片
３０  外壁
３１  リブ
３３  連結部分（支点：作用点）
３４  弾性片
３５  中間部分（力点）
３７  弾性壁部
３８  空洞
【図１】
2008051211.tif 000004
【図２】
2008051211.tif 000005
【図３】
2008051211.tif 000006
【図４】
2008051211.tif 000007
【図５】
2008051211.tif 000008
【図６】
2008051211.tif 000009